(57)【要約】【課題】燃料カット後に、吸気ポートの内壁に付着した凝縮水が燃焼室内に流れ込むことを防止できる内燃機関の制御装置を提供する。【解決手段】エンジン１の制御装置３７は、吸気バルブ２６の開閉タイミングを変更する吸気側ＶＶＴ機構３８と、排気バルブ２７の開閉タイミングを変更する排気側ＶＶＴ機構３９と、ＥＣＵ４０とを有している。ＥＣＵ４０は、通常時には、燃焼・膨張行程の後半で排気バルブ２７を開弁し、排気行程の終了時に排気バルブ２７を閉弁し、吸入行程の開始時に吸気バルブ２６を開弁し、圧縮行程の前半で吸気バルブ２６を閉弁するようにＶＶＴ機構３８，３９を制御する。また、ＥＣＵ４０は、エンジン１の燃料カット後には、排気バルブ２７の開閉タイミングを進角させることで、ピストン３５が排気上死点に達する前に排気バルブ２７を閉弁するように排気側ＶＶＴ機構３９を制御する。【選択図】図２
2014047756.tif 000002
【特許請求の範囲】
【請求項１】
吸気ポート及び排気ポートを有するシリンダと、前記シリンダ内に往復運動可能に収容されたピストンと、前記シリンダの燃焼室内に燃料を噴射する燃料噴射弁と、前記吸気ポート及び前記排気ポートにそれぞれ設けられた吸気バルブ及び排気バルブと、前記吸気ポート及び前記排気ポートとそれぞれ接続された吸気通路及び排気通路と、前記排気通路を流れる排気ガスの一部を前記吸気通路へ再循環させる排気再循環装置とを具備した内燃機関の制御装置において、
前記排気バルブの閉弁時期を変更する閉弁時期変更手段と、
前記燃料噴射弁による前記燃焼室内への燃料噴射の停止が指示されたときに、前記ピストンが排気上死点に達する前に前記排気バルブを閉弁するように、前記閉弁時期変更手段を制御する排気制御手段とを備えることを特徴とする内燃機関の制御装置。
【請求項２】
前記閉弁時期変更手段は、前記排気バルブの開閉タイミングを変更する排気開閉タイミング変更手段であり、
前記排気制御手段は、前記燃料噴射弁による前記燃焼室内への燃料噴射の停止が指示されたときに、前記排気バルブの閉タイミングを進角させることで、前記ピストンが排気上死点に達する前に前記排気バルブを閉弁するように、前記排気開閉タイミング変更手段を制御することを特徴とする請求項１記載の内燃機関の制御装置。
【請求項３】
前記吸気バルブの開閉タイミングを変更する吸気開閉タイミング変更手段と、
前記排気バルブを閉弁した後で且つ前記ピストンが前記排気上死点またはその近傍に達した時点で前記吸気バルブを開弁するように、前記吸気開閉タイミング変更手段を制御する吸気制御手段とを更に備えることを特徴とする請求項２記載の内燃機関の制御装置。
【発明の詳細な説明】
【技術分野】
【０００１】
本発明は、排気通路を流れる排気ガスの一部を吸気通路へ再循環させる排気再循環装置を備える内燃機関の制御装置に関するものである。
【背景技術】
【０００２】
内燃機関の一つであるディーゼルエンジンは、排気通路を流れる排気ガスの一部を排気再循環ガス（ＥＧＲガス）として吸気通路へ再循環させる排気再循環装置（ＥＧＲ装置）を備えている。ＥＧＲ装置は、排気通路と吸気通路とを接続するＥＧＲ通路と、このＥＧＲ通路に設けられ、ＥＧＲガスの還流量を調整するＥＧＲバルブと、ＥＧＲ通路を通るＥＧＲガスを冷却するＥＧＲクーラとを有している。このようなＥＧＲ装置を備えたディーゼルエンジンでは、排気ガス中に含まれるＳＯｘ（硫黄酸化物）が原因で、ＥＧＲガスの冷却により腐食性の凝縮水が発生し、その凝縮水が吸気通路の内壁に付着することがある。特に、凝縮水が吸気マニホールドより吸気ポートまで至ると、エンジン停止時にシリンダの燃焼室内に凝縮水が流れ込み、燃料噴射弁等が凝縮水によって腐食することがある。
【０００３】
ＥＧＲガスの冷却によって発生する凝縮水による燃焼室内の腐食を防止する従来技術としては、例えば特許文献１に記載されているものが知られている。特許文献１に記載の技術は、シリンダの吸気ポートを遮断または開通させる吸気ポート弁を設け、エンジンの停止時に、吸気ポート弁を閉弁して吸気ポートを遮断した状態とすることにより、燃焼室内に凝縮水が流入することを抑制するというものである。
【先行技術文献】
【特許文献】
【０００４】
【特許文献１】特開２００７−２６２９５６号公報
【発明の概要】
【発明が解決しようとする課題】
【０００５】
しかしながら、上記従来技術においては、吸気ポートにおける吸気ポート弁よりも下流側の内壁に付着した凝縮水が燃焼室内に流入することは抑制できない。従って、エンジン停止時のような燃料カット後に、燃焼室内への凝縮水の流入による燃料噴射弁等の腐食を防止する手段として十分でない。
【０００６】
本発明の目的は、燃料カット後に、吸気ポートの内壁に付着した凝縮水が燃焼室内に流れ込むことを防止できる内燃機関の制御装置を提供することである。
【課題を解決するための手段】
【０００７】
本発明は、吸気ポート及び排気ポートを有するシリンダと、シリンダ内に往復運動可能に収容されたピストンと、シリンダの燃焼室内に燃料を噴射する燃料噴射弁と、吸気ポート及び排気ポートにそれぞれ設けられた吸気バルブ及び排気バルブと、吸気ポート及び排気ポートとそれぞれ接続された吸気通路及び排気通路と、排気通路を流れる排気ガスの一部を吸気通路へ再循環させる排気再循環装置とを具備した内燃機関の制御装置において、排気バルブの閉弁時期を変更する閉弁時期変更手段と、燃料噴射弁による燃焼室内への燃料噴射の停止が指示されたときに、ピストンが排気上死点に達する前に排気バルブを閉弁するように、閉弁時期変更手段を制御する排気制御手段とを備えることを特徴とするものである。
【０００８】
このように本発明の内燃機関の制御装置においては、燃料噴射弁による燃焼室内への燃料噴射の停止（燃料カット）が指示されると、ピストンが排気上死点に達する前に排気バルブを閉弁することにより、排気バルブが閉弁されてからピストンが排気上死点に達するまでの間は、燃焼室内の残留ガスが圧縮される。このため、その後に吸気バルブが開弁されたときは、燃焼室内の圧縮された残留ガスが吸気ポートへ吹き返すようになる。このとき、吸気ポートの内壁に付着した凝縮水が残留ガスと一緒に吸気上流側に吹き飛ばされる。これにより、燃料カット後に、吸気ポートの内壁に付着した凝縮水が燃焼室内に流れ込むことが防止される。
【０００９】
好ましくは、閉弁時期変更手段は、排気バルブの開閉タイミングを変更する排気開閉タイミング変更手段であり、排気制御手段は、燃料噴射弁による燃焼室内への燃料噴射の停止が指示されたときに、排気バルブの閉タイミングを進角させることで、ピストンが排気上死点に達する前に排気バルブを閉弁するように、排気開閉タイミング変更手段を制御する。この場合には、多用されている排気開閉タイミング変更手段を利用することで、本発明の容易な実施が可能となる。また、燃焼室内から吹き返されるガスは惰性回転により圧縮された空気であるため、吸気ポートが汚れることが無い。
【００１０】
また、好ましくは、吸気バルブの開閉タイミングを変更する吸気開閉タイミング変更手段と、排気バルブを閉弁した後で且つピストンが排気上死点またはその近傍に達した時点で吸気バルブを開弁するように、吸気開閉タイミング変更手段を制御する吸気制御手段とを更に備える。この場合には、燃焼室内の残留ガスの圧力が高い時期に、吸気バルブが開弁されることで、燃焼室内から吹き返される残留ガスの流速が上がるため、凝縮水を吹き飛ばす効果を確実なものとすることができる。
【発明の効果】
【００１１】
本発明によれば、燃料カット後に、吸気ポートの内壁に付着した凝縮水が燃焼室内に流れ込むことを防止できる。これにより、凝縮水による燃料噴射弁等の腐食を回避することが可能となる。
【図面の簡単な説明】
【００１２】
【図１】本発明に係る内燃機関の制御装置の一実施形態を備えた内燃機関としてディーゼルエンジンを示す概略構成図である。
【図２】本発明に係る内燃機関の制御装置の一実施形態をシリンダと共に示す構成図である。
【図３】図２に示したＥＣＵにより実行されるバルブ開閉タイミング制御処理の手順を示すフローチャートである。
【図４】図２に示した吸気バルブ及び排気バルブの開閉タイミングを示す図である。
【図５】図３に示したバルブ開閉タイミング制御処理によるシリンダの動作を示す図である。
【図６】クランク角と筒内圧との関係を示すグラフである。
【発明を実施するための形態】
【００１３】
以下、本発明に係る内燃機関の制御装置の好適な実施形態について、図面を参照して詳細に説明する。
【００１４】
図１は、本発明に係る内燃機関の制御装置の一実施形態を備えた内燃機関としてディーゼルエンジンを示す概略構成図である。同図において、本実施形態のディーゼルエンジン１は、コモンレール式の４気筒直列ディーゼルエンジンである。
【００１５】
ディーゼルエンジン（以下、単にエンジン）１はエンジン本体２を備え、このエンジン本体２には４つのシリンダ３が設けられている。各シリンダ３には、燃焼室４内に燃料を噴射するインジェクタ（燃料噴射弁）５がそれぞれ配設されている。各インジェクタ５はコモンレール６に接続されており、コモンレール６に貯留された高圧燃料が各インジェクタ５に供給される。
【００１６】
エンジン本体２には、燃焼室４内に空気を吸入するための吸気通路７が吸気マニホールド８を介して接続されている。吸気通路７には、上流側から下流側に向けてエアクリーナー９、ターボ過給機１０のコンプレッサ１１、インタークーラー１２及びスロットルバルブ１３が設けられている。また、エンジン本体２には、燃焼後の排気ガスを排出するための排気通路１４が排気マニホールド１５を介して接続されている。排気通路１４には、上流側から下流側に向けてターボ過給機１０のタービン１６及びＤＰＦ付きの触媒１７が設けられている。
【００１７】
また、エンジン１は、燃焼後の排気ガスの一部を排気再循環ガス（ＥＧＲガス）として燃焼室４内に還流する排気再循環装置（ＥＧＲ装置）１８を備えている。ＥＧＲ装置１８は、吸気通路７と排気マニホールド１５とを繋ぐように設けられ、ＥＧＲガスを還流するためのＥＧＲ通路１９と、排気マニホールド１５から吸気通路７へのＥＧＲガスの還流量を調整するＥＧＲバルブ２０と、ＥＧＲ通路１９を通るＥＧＲガスを冷却するＥＧＲクーラ２１と、このＥＧＲクーラ２１をバイパスするようにＥＧＲ通路１９に接続されたバイパス通路２２と、ＥＧＲガスの流路をＥＧＲクーラ２１側またはバイパス通路２２側に切り換える切換弁２３とを有している。
【００１８】
図２は、本発明に係る内燃機関の制御装置の一実施形態を上記シリンダ３と共に示す構成図である。同図において、シリンダ３のシリンダヘッド３ａには、吸気マニホールド８と燃焼室４とを連通する吸気ポート２４と、排気マニホールド１５と燃焼室４とを連通する排気ポート２５とが設けられている。吸気ポート２４には、燃焼室４への吸入空気の流入及び停止を切り換える吸気バルブ２６が配置されている。排気ポート２５には、燃焼室４からの排気ガスの排出及び停止を切り換える排気バルブ２７が配置されている。
【００１９】
吸気バルブ２６の開閉動作は、吸気側カムシャフト２８に取り付けられた吸気側カム２９により行われる。吸気側カムシャフト２８の一端部には、吸気側プーリ３０が設けられている。排気バルブ２７の開閉動作は、排気側カムシャフト３１に取り付けられた排気側カム３２により行われる。排気側カムシャフト３１の一端部には、排気側プーリ３３が設けられている。吸気側カムシャフト２８及び排気側カムシャフト３１の回転駆動は、クランクシャフト３４の一端に固定されたクランクプーリ（図示せず）と、このクランクプーリ及び吸気側プーリ３０と排気側プーリ３３に掛け渡されたベルト（図示せず）とを介し、クランクシャフト３４の回転を吸気側プーリ３０と排気側プーリ３３に伝達することにて行われる。
【００２０】
シリンダ３の内部には、ピストン３５が往復運動可能に収容されている。ピストン３５は、クランクシャフト３４にコンロッド３６を介して連結されている。
【００２１】
さらに、エンジン１は、本実施形態の制御装置３７を備えている。制御装置３７は、吸気側可変バルブタイミング機構（吸気側ＶＶＴ機構）３８と、排気側可変バルブタイミング機構（排気側ＶＶＴ機構）３９と、電子制御ユニット（ＥＣＵ）４０とを有している。
【００２２】
吸気側ＶＶＴ機構３８は、吸気側カムシャフト２８と吸気側プーリ３０との相対的な回転位相を変更することで、吸気バルブ２６の開閉タイミングを変更する機構（吸気開閉タイミング変更手段）である。排気側ＶＶＴ機構３９は、排気側カムシャフト３１と排気側プーリ３３との相対的な回転位相を変更することで、排気バルブ２７の開閉タイミングを変更する機構（排気開閉タイミング変更手段）である。
【００２３】
ＶＶＴ機構としては、例えば特開平５−９９００６号公報に開示された油圧式機構、または特開平１０−１５３１０４号公報に開示された電磁式機構のように公知の機構が採用可能である。特に図示はしないが、本実施形態のＶＶＴ機構３８，３９は、カムシャフト２８，３１の一端部にそれぞれ取り付けられた油圧式のＶＶＴコントローラと、このＶＶＴコントローラへの油路を切り換えるオイルコントロールバルブ（ＯＣＶ）とを有する油圧式機構を採用している。
【００２４】
ＥＣＵ４０には、エンジン１の始動及び停止の指示操作を行うためのイグニッション（ＩＧ）スイッチ４１が接続されている。ＥＣＵ４０は、ＩＧスイッチ４１の操作信号に基づいて吸気側ＶＶＴ機構３８及び排気側ＶＶＴ機構３９を制御することにより、吸気バルブ２６及び排気バルブ２７の開閉タイミングを制御する。
【００２５】
図３は、ＥＣＵ４０により実行されるバルブ開閉タイミング制御処理の手順を示すフローチャートである。図３において、まずＩＧスイッチ４１がＯＮ操作されたかどうかを判断し（手順Ｓ１０１）、ＩＧスイッチ４１がＯＮ操作されたときは、吸気バルブ２６及び排気バルブ２７の開閉タイミング（開弁時期及び閉弁時期）が通常タイミングとなるように、吸気側ＶＶＴ機構３８及び排気側ＶＶＴ機構３９のＯＣＶ（図示せず）を制御する（手順Ｓ１０２）。
【００２６】
具体的には、図４に示すように、燃焼・膨張行程の後半で排気バルブ２７を開弁し、排気行程の終了時に排気バルブ２７を閉弁し（破線Ｐ参照）、吸入行程の開始時に吸気バルブ２６を開弁し、圧縮行程の前半で吸気バルブ２６を閉弁する（破線Ｑ参照）。なお、燃焼・膨張行程は、ピストン３５が圧縮上死点（圧縮ＴＤＣ）から下死点（ＢＤＣ）まで移動する行程である。排気行程は、ピストン３５が下死点から排気上死点（排気ＴＤＣ）まで移動する行程である。吸入行程は、ピストン３５が排気上死点から下死点まで移動する行程である。圧縮行程は、ピストン３５が下死点から圧縮上死点まで移動する行程である。
【００２７】
図３に戻り、その後ＩＧスイッチ４１がＯＦＦ操作されたかどうかを判断する（手順Ｓ１０３）。ＩＧスイッチ４１がＯＦＦ操作されたときは、燃焼室４内への燃料噴射を停止すると共に、排気バルブ２７の開閉タイミング（開弁時期及び閉弁時期）を上記通常タイミングに対して進角させることで、ピストン３５が排気上死点に達する前に排気バルブ２７を閉弁するように、排気側ＶＶＴ機構３９のＯＣＶ（図示せず）を制御する（手順Ｓ１０４）。具体的には、図４に示すように、燃焼・膨張行程の中間付近で排気バルブ２７を開弁し、排気行程の後半に入った直後に排気バルブ２７を閉弁する（実線Ｒ参照）。
【００２８】
以上において、ＥＣＵ４０は、燃料噴射弁５による燃焼室４内への燃料噴射の停止が指示されたときに、ピストン３５が排気上死点に達する前に排気バルブ２７を閉弁するように、排気開閉タイミング変更手段（閉弁時期変更手段）３９を制御する排気制御手段と、排気バルブ２７を閉弁した後で且つピストン３５が排気上死点またはその近傍に達した時点で吸気バルブ２６を開弁するように、吸気開閉タイミング変更手段３８を制御する吸気制御手段とを構成する。このとき、図３の手順Ｓ１０４は排気制御手段として機能し、図３の手順Ｓ１０２は吸気制御手段として機能する。
【００２９】
このようにＩＧスイッチ４１のＯＦＦ操作による燃料カット後のエンジン慣性回転時に、排気バルブ２７の開弁時期及び閉弁時期を進角させることにより、図５（ａ）に示すように、排気行程の後半に入った時点（図４のＡ点に相当）で排気バルブ２７が閉じられると、その後もピストン３５は上昇し続ける。このため、図５（ｂ）に示すように、ピストン３５が排気上死点に達する前の時点（図４のＢ点に相当）で、燃焼室４内（筒内）の残留ガスが圧縮される。その後、図５（ｃ）に示すように、吸入行程において吸気バルブ２６が開いた瞬間（図４のＣ点に相当）に、筒内の圧縮された残留ガスが吸気ポート２４へ吹き返すようになる。
【００３０】
従って、図６に示すように、クランク角が排気上死点（３６０°）付近であるときに、筒内圧（シリンダ圧）が上昇する（実線Ｘ１参照）。なお、排気バルブ２７の開閉タイミングが通常タイミングである場合には、ピストン３５が排気上死点に達した時点で排気バルブ２７が閉弁されると共に吸気バルブ２６が開弁されるため、クランク角が排気上死点付近にあるときに、筒内圧が上昇することは無い（破線Ｙ参照）。
【００３１】
なお、筒内の圧縮された残留ガスが吸気ポート２４へ吹き返した後に、新気が筒内に吸入される。そして、その後の圧縮行程において、筒内の残留ガスが十分に圧縮されるため、図６に示すように、クランク角が圧縮上死点（７２０°つまり０°）付近であるときに、筒内圧が十分に上昇する（実線Ｘ２参照）。
【００３２】
ところで、排気ガス及びＥＧＲガスは、水分を含んでいる。ＥＧＲガスがＥＧＲクーラ２１で過度に冷却され、凝縮水が発生しないように、ＥＧＲガスの濃度が低いときには、ＥＧＲガスはバイパス通路２２を流れるように制御され、凝縮水の発生は抑制される。しかしながら、低温環境下などでは、吸気通路７内において、ＥＧＲガスが低温の外気と混合され、冷却されると、吸気通路７内に凝縮水が発生することがある。ＥＧＲガスにはＳＯｘ（硫黄酸化物）が含まれるため、ＥＧＲガスに起因する凝縮水は腐食性を有し、その凝縮水が吸気マニホールド８及びシリンダ３の吸気ポート２４の内壁に付着する。エンジン１の稼働中は、仮に凝縮水が燃焼室４内に流れ込んでも、凝縮水は、都度の燃焼にて排出されるため、燃焼室４に長く溜まることは無い。一方、エンジン１の停止後に、吸気マニホールド８及び吸気ポート２４の内壁に付着した凝縮水が燃焼室４内に流れ込むと、燃焼室４内のインジェクタ５が腐食してしまうことがある。
【００３３】
凝縮水によるインジェクタの腐食を防止するためには、吸気通路内で発生する凝縮水積算量をコンピュータ上で計算し、燃焼室内に凝縮水が流れ込まないように、発生する凝縮水量が所定量以下となるようにＥＧＲガスの流量を減量することが考えられる。しかし、この場合には、排ガス（ＯＢＤ）規制により要求されるＮＯｘの抑制に対し、ＥＧＲガスの流量を十分に確保することができない場合がある。
【００３４】
また、エンジン停止時に、燃焼室内への凝縮水の流入を抑えるために、吸気ポートの通路を遮断する遮断バルブを吸気ポートに設けることも考えられる。しかし、この場合には、吸気ポートにおける遮断バルブよりも下流側の内壁に付着した凝縮水の流入を防止することはできない。また、吸気バルブにより遮断バルブと同様の効果を得ようとした場合には、吸気バルブを全気筒同時に閉弁する必要があるため、カムと吸気バルブとを切り離すような複雑な機構が必要となる。
【００３５】
これに対し本実施形態では、燃料カット後のエンジン慣性回転時に、排気バルブ２７の開弁時期及び閉弁時期を進角させることで、ピストン３５が排気上死点に達する前に排気バルブ２７を閉じるようにしたので、ピストン３５が排気上死点に達するまでの間に、燃焼室内４の残留ガスが圧縮されるようになる。このため、その後にピストン３５が排気上死点に達して吸気バルブ２６が開いたときには、圧縮された残留ガスが吸気ポート２４へ吹き返すようになる。このとき、吸気マニホールド８及び吸気ポート２４の内壁に付着した凝縮水は、残留ガスの吹き返しによって吹き飛ばされる。これにより、吸気マニホールド８及び吸気ポート２４から燃焼室４内への凝縮水の流入が抑制されるため、燃焼室４内のインジェクタ５の腐食を防止することができる。
【００３６】
また、本実施形態では、ＥＧＲガスの流量を減量させること無く、燃焼室４内への凝縮水の流入を抑制することができる。従って、排ガス規制により要求されるＮＯｘの抑制を実現することが可能となる。また、吸気バルブ２６と吸気側カム２９とを切り離すような複雑な機構を不要とすることができる。
【００３７】
なお、本発明は、上記実施形態に限定されるものではない。例えば上記実施形態では、エンジン１の惰性回転時には、エンジン１の稼働時と同様にピストン３５が排気上死点に達した時点で吸気バルブ２６を開弁するようにしたが、吸気バルブ２６の開弁タイミングとしては、特にその時点には限られず、燃焼室４内で圧縮された残留ガスが吸気ポート２４へ吹き返すことが可能となるようなタイミングであれば良い。ただし、排気バルブ２７が閉弁された後で且つピストン３５が排気上死点またはその近傍に達した時点で、吸気バルブ２６を開弁するのが、燃焼室４内と吸気ポート２４側との圧力差が最も大きく、吹き返しにおける流速が早くなるので、望ましい。
【００３８】
また、上記実施形態では、ＩＧスイッチ４１のＯＦＦ操作によるエンジン１の慣性回転時に、排気バルブ２７の開弁時期及び閉弁時期を進角させるようにしたが、ＩＧスイッチ４１のＯＦＦ操作を必須とするものではなく、所定のエンジン停止指示またはエンジン停止制御において、本発明を実施することができる。例えば、いわゆるアイドリングストップ機能を有するエンジンにおいて、アイドリングストップのために燃料カットを行う場合に、排気バルブ２７の開弁時期及び閉弁時期を進角させても良い。
【００３９】
さらに、上記実施形態では、吸気バルブ２６及び排気バルブ２７の開閉タイミングを変更する手段として、可変バルブタイミング機構（ＶＶＴ機構）３８，３９を使用したが、特にＶＶＴ機構に限定されるものではない。例えば、バルブの開閉タイミングだけでなく、カムによるバルブのリフト量も変更可能なＶＶＴＬ機構や、バルブの開閉タイミング及びリフト量を連続的に変更可能なバルブマチック機構を使用しても良い。また、カムと排気バルブとの間に介在するタペットが、例えば特開２００７−１４６８４４号公報に記載されたタペットの如く、リフト量を変更する機能を有する場合には、その機構を制御して排気バルブを閉じても良い。このように、閉弁時期変更手段は、排気行程の途中で排気バルブの閉弁時期を変更するものであるならば、その機構や構造が限定されるものではない。
【００４０】
また、上記実施形態では、燃料噴射の停止後に、排気バルブ２７の開弁時期及び閉弁時期を進角させているが、必ずしも燃料噴射の停止後に限定されるものではない。例えば、エンジン１を停止するためにＩＧスイッチ４１がＯＦＦされた後、排気バルブ２７の閉弁時期の進角と共に、１回のみ燃焼室４内に燃料噴射を行い、既燃焼ガスにより吸気ポート２４への吹き返しを行っても良い。この場合、吹き返し時の流速に加え、既燃焼ガスの熱によって、吸気ポート２４より凝縮水を除去する効果が期待できる。
【００４１】
また、本発明は、ディーゼルエンジンに限定されるものではなく、ＥＧＲ装置を備えたガソリンエンジンにも適用可能である。ガソリンエンジンでは、燃焼室内にインジェクタが配置されることは少ないが、本発明の適用により、点火プラグ等の腐食が抑制される。
【符号の説明】
【００４２】
１…ディーゼルエンジン、３…シリンダ、４…燃焼室、５…インジェクタ（燃料噴射弁）、７…吸気通路、１４…排気通路、１８…ＥＧＲ装置（排気再循環装置）、２４…吸気ポート、２５…排気ポート、２６…吸気バルブ、２７…排気バルブ、３５…ピストン、３７…制御装置、３８…吸気側ＶＶＴ機構（吸気開閉タイミング変更手段）、３９…排気側ＶＶＴ機構（排気開閉タイミング変更手段、閉弁時期変更手段）、４０…ＥＣＵ（吸気制御手段、排気制御手段）。
【図１】
2014047756.tif 000003
【図２】
2014047756.tif 000004
【図３】
2014047756.tif 000005
【図４】
2014047756.tif 000006
【図５】
2014047756.tif 000007
【図６】
2014047756.tif 000008